(57)【要約】【課題】扉体開閉の操作性が向上したドラム式洗濯機を提供すること。【解決手段】筺体２００前面部の衣類投入口７００を開閉する扉体３００と、扉体３００に設けられ、解除アーム軸部６５１を支点に回動するロック解除アーム６５０とアーム軸部６１３を支点に回動するロックアーム６１０などを有するロック機構６００と、筺体２００に設けられ、ロック機構６００と係合することにより扉体を閉塞位置に固定するロック制御ユニット６４０とを備え、扉体３００は、取手部７００を引くことによりロック解除アーム６５０、ロックアーム６１０が連動して回動し、閉塞位置の固定が解除されるとともに、取手部７００を押すことによりロックアーム６１０が回動して閉塞位置の固定が解除されるよう構成したことにより、押す、引く、いずれの動作であっても一連の動作により扉体を開けることができるので、操作性の向上ができる。【選択図】図３
2013103055.tif 000002
【特許請求の範囲】
【請求項１】
有底円筒状に形成された回転ドラムと、前記回転ドラムを回転自在に内包する水槽と、前記回転ドラムを回転駆動するモータと、前記水槽を揺動自在に弾性支持した筺体と、前記筺体に形成された衣類投入口と、取手部を有し前記衣類投入口を開閉する扉体と、前記扉体に設けられ、解除アーム軸部を支点に回動するロック解除アームおよびアーム軸部を支点に回動するロックアームを有するロック機構と、前記ロック機構と係合することにより扉体を閉塞位置に固定するロック制御ユニットとを備え、前記扉体は、前記取手部を引くことにより前記解除アームが回動し、前記解除アームの回動と連動して前記ロックアームが回動し、閉塞位置の固定が解除されるとともに、前記取手部を押すことにより前記ロックアームが回動して閉塞位置の固定が解除されるドラム式洗濯機。
【発明の詳細な説明】
【技術分野】
【０００１】
本発明は、衣類を出し入れするための開閉自在の扉体を備えるドラム式洗濯機に関するものである。
【背景技術】
【０００２】
従来、この種のドラム式洗濯機では、扉体は運転中には開かないようにロックされ、回転駆動される回転ドラムに手が差し込まれる危険性や、洗濯水や洗濯物が外部に飛散する状態を回避できる構成が提案されている（例えば、特許文献１参照）。
【０００３】
図７は、特許文献１に記載された従来のドラム式洗濯機の扉体を開いた状態の外観図を示す。
【０００４】
図７において、この開いた状態で内部の洗濯兼脱水槽５内に洗濯物を投入し、扉体８を閉じて運転させると、扉体８は、扉体８の内側に突設されたラッチ９０が扉体８を閉じた時に嵌り込むラッチ受９１に嵌り込み、洗濯機筺体２の傾斜面２ａ内部に構成した開閉ロック部５９により、扉閉状態にロックされる。そして、洗濯物を取り出すために扉体８を開く時は、扉開ボタン５６を押圧してロック状態を解除し、扉体８を持って開くことができる。
【先行技術文献】
【特許文献】
【０００５】
【特許文献１】特開２００５−１３７５０８号公報
【発明の概要】
【発明が解決しようとする課題】
【０００６】
しかしながら、前記従来の構成では、扉体を開くためには、扉開ボタンを押圧してロック状態を解除する操作と、扉体を持って開放位置に向けて回動させる操作とが必要であり、このような２段階の操作は、使用者に煩わしく感じさせるとともに、扉開ボタンを押し忘れてロックを解除しないまま扉体を持って開けようとすると、ロック機構を破損させる恐れがあるという課題があった。
【課題を解決するための手段】
【０００７】
前記従来の課題を解決するために本発明のドラム式洗濯機は、有底円筒状に形成された回転ドラムと、前記回転ドラムを回転自在に内包する水槽と、前記回転ドラムを回転駆動するモータと、前記水槽を揺動自在に弾性支持した筺体と、前記筺体に形成された衣類投入口と、取手部を有し前記衣類投入口を開閉する扉体と、前記扉体に設けられ、解除アーム軸部を支点に回動するロック解除アームおよびアーム軸部を支点に回動するロックアームを有するロック機構と、前記ロック機構と係合することにより扉体を閉塞位置に固定するロック制御ユニットとを備え、前記扉体は、前記取手部を引くことにより前記解除アームが回動し、前記解除アームの回動と連動して前記ロックアームが回動し、閉塞位置の固定が解除されるとともに、前記取手部を押すことにより前記ロックアームが回動して閉塞位置の固定が解除される構成としたものである。
【０００８】
これによって、取手部を操作する押す動作、引く動作のいずれの動作であってもロックを解除して扉体を開くことができるとともに、それぞれの動作も取手部のみの一連の動作により扉体を開けることができるので、操作性が格段に向上し、ロック機構を破損させる恐れも防止することができる。
【発明の効果】
【０００９】
本発明のドラム式洗濯機は、扉体の取手部を押しても引いても一連の動作で開けることが可能になるという操作性を実現することができる。
【図面の簡単な説明】
【００１０】
【図１】本発明の実施の形態に係るドラム式洗濯機の縦断面図
【図２】同ドラム式洗濯機の外観図
【図３】同ドラム式洗濯機の取手部周囲の斜視図
【図４】同ドラム式洗濯機の取手部周囲の概略部分断面図
【図５】同ドラム式洗濯機の取手部を手前に引いた時の概略部分断面図
【図６】同ドラム式洗濯機の取手部を押した時の概略部分断面図
【図７】従来のドラム式洗濯機の外観図
【発明を実施するための形態】
【００１１】
第１の発明は、有底円筒状に形成された回転ドラムと、前記回転ドラムを回転自在に内包する水槽と、前記回転ドラムを回転駆動するモータと、前記水槽を揺動自在に弾性支持した筺体と、前記筺体に形成された衣類投入口と、取手部を有し前記衣類投入口を開閉する扉体と、前記扉体に設けられ、解除アーム軸部を支点に回動するロック解除アームおよびアーム軸部を支点に回動するロックアームを有するロック機構と、前記ロック機構と係合することにより扉体を閉塞位置に固定するロック制御ユニットとを備え、前記扉体は、前記取手部を引くことにより前記解除アームが回動し、前記解除アームの回動と連動して前記ロックアームが回動し、閉塞位置の固定が解除されるとともに、前記取手部を押すことにより前記ロックアームが回動して閉塞位置の固定が解除されるよう構成したことにより、取手部を操作する押す動作、引く動作のいずれの動作であってもロックを解除して扉体を開くことができるとともに、それぞれの動作も取手部のみの一連の動作により扉体を開けることができるので、操作性が格段に向上し、ロック機構を破損させる恐れも防止することができる。
【００１２】
以下、発明の実施の形態について、図面を参照しながら説明する。また、この実施の形態によって本発明が限定されるものではない。
【００１３】
（実施の形態１）
図１は、本発明の実施の形態に係るドラム式洗濯機の縦断面図である。
【００１４】
図１において、回転ドラム１１２は、有底円筒形に形成し外周部に多数の通水孔７２を全面に設け、水槽１１１内に回転自在に配設している。回転ドラム１１２の回転中心に傾斜方向に回転軸（回転中心軸）７４を設け、回転ドラム１１２の軸心方向を正面側から背面側に向けて下向きに傾斜させて配設している。この回転軸７４に、水槽１１１の背面に取り付けたモータ１１３を連結し、回転ドラム１１２を正転、逆転方向に回転駆動する。また、回転ドラム１１２の内壁面に衣類撹拌用の複数の突起板７６を設けている。そして、筺体２００の正面側の上向き傾斜面に設けた衣類投入口２１５を扉体３００により開閉自在に覆い、この扉体３００を開くことにより衣類投入口２１５を通して回転ドラム１１２内に洗濯物を出し入れできるようにしている。扉体３００を上向き傾斜面に設けているため、洗濯物を出し入れする際、腰を屈めることなく行うことができる。
【００１５】
水槽１１１は、筺体２００よりばね体８０とダンパー８１にて揺動可能に弾性支持されており、水槽１１１の下部には排水経路１３４の一端を接続し、排水経路１３４の他端を排水弁１３３に接続して水槽１１１内の洗濯水を適時に排水できるようにしている。給水弁（給水手段）８４は、給水管路１２１を通して水槽１１１内に水を給水するものであり、水位検知手段８６は水槽１１１内の水位を検知するものである。また、筺体２００内の前面下部には、制御装置９６が配設されている。また、水槽１１１の前面部開口側には筒口部１１４が形成され、この筒口部１１４にシール部材１１５が嵌合されており、扉体３００が閉塞状態の時に、扉体３００との間でシールされる。
【００１６】
また、筺体２００の前面上部には、操作パネル５００が設けられており、使用者が入力部５０１（図２参照）から運転コースのモードや各種機能を入力すると、操作パネル５００内部に配設された制御回路部５１０が、その入力情報を基に操作パネル５００上の表示手段５０２（図２参照）で表示して使用者に知らせる。
【００１７】
なお、本実施の形態では、回転ドラム１１２の回転中心に、傾斜方向に回転軸７４を設け、回転ドラム１１２の軸心方向を正面側から背面側に向けて下向きに傾斜させて配設しているが、回転ドラム１１２の回転中心に、水平方向に回転軸７４を設け、回転ドラム１１２の軸心方向を水平方向に配設してもよい。
【００１８】
図２は、本発明の実施の形態に係るドラム式洗濯機の外観図である。
【００１９】
図２において、扉体３００は、扉体３００を軸支する蝶番構造４００により、筐体２００と回動可能に接続されており、扉体３００は、取手部７００を持って操作することにより衣類投入口２１５を覆う閉塞位置と、開放する開放位置との間で回動することができる。
【００２０】
また、扉体３００には、取手部７００と連接するロック機構６００が構成されており、筐体２００の前面部内方には、ロック機構６００と対応する位置に、ロック制御ユニット６４０（図４参照）が配設されている。そして、ロック制御ユニット６４０に、ロック穴２１８、検知穴２１９が形成されており、ロック機構６００は、扉体３００が閉塞された時に、ロック穴２１８に挿入されるロックアーム６１０（図３で後述）と、検知穴２１９に挿入される検知アーム８１０（図３で後述）などを有している。
【００２１】
また、扉体３００は、ガラス製で略台形円錐状に形成された窓部３１０、および支持枠３２０を有しており、窓部３１０は、前述のように、扉体３００が閉塞状態の時にシール部材１１５に当接して水密的にシールを行なう。また、支持枠３２０は、扉体３００を構成する主要部品であり、窓部３１０に加えて、取手部７００、ロック機構６００及び蝶番構造４００が取り付けられる取付リング３２１（図３参照）や、取付リング３２１を外方から覆う略円板状のカバーディスク（図示せず）、筺体２００側に取り付けられた押えリング３２４（（図３参照）などを有している。
【００２２】
図３は、発明の実施の形態に係るドラム式洗濯機の取手部周囲の斜視図である。
【００２３】
図３において、扉体３００の背面側を構成する押えリング３２４には、略矩形状のリング開口部３３５が形成され、そのリング開口部３３５からロックアーム６１０及び検知アーム８１０が突出している。
【００２４】
また、ロック機構６００のロックアーム６１０には、先端に鉤状のアーム先端部６１２が形成されている。また、ロックアーム６１０に併設される検知アーム８１０は、扉体３００の閉塞状態か、開放状態かを検知するためのものである。
【００２５】
図４は、本発明の実施の形態に係るドラム式洗濯機の取手部周囲の概略部分断面図、図５（ａ）〜（ｃ）は、取手部を手前に引いた時の概略部分断面図、図６（ａ）〜（ｃ）は、取手部を押した時の概略部分断面図である。
【００２６】
図４において、ロック制御ユニット６４０は、その動作を達成するための回路や部品を収容するユニット筐体６４１と、ユニット筐体６４１の内部に配設されロックアーム６１０先端のアーム先端部６１２が挿入されるロック箱６４２、およびロック箱６４２を位置決めするためのソレノイド（図示せず）などを有している。
【００２７】
また、ロック機構６００は、ロック解除アーム６５０、ロックアーム６１０、ロックアーム６１０を付勢するばね（図示せず）等を有している。
【００２８】
ロック機構６００のロックアーム６１０は、図示しないばねによりアーム軸部６１３を支点に、ユニット筺体６４１に形成された鉤状の筺体先端部６４３側へ付勢されており、図４は、アーム先端部６１２が筺体先端部６４３へ係合して扉体３００が閉じているロック状態であり、この状態でのロック箱６４２の位置を、後述する図５（ａ）、図６（ａ）とともに不許可位置と称する。
【００２９】
つまり、ロック箱６４２が不許可位置にある時は、使用者は扉体３００を閉塞位置から開放位置に回動させることができない。洗い行程、すすぎ行程、脱水行程や乾燥行程が完了して回転ドラム１１２の回転が停止した時や、入力部５０１の一時停止ボタン（図示せず）が押されて回転ドラム１１２の回転が停止した時に、制御回路部５１０はソレノイドによるロック箱６４２の位置決めを解除し、扉体３００を開けることが可能になる。
【００３０】
ロック箱６４２の位置決めが解除され扉体３００を開ける場合は、扉体３００が閉塞された状態から、取手部７００を扉体３００の前面側であるＡ方向に引くと、取手部７００は支軸部７１１を支点に回動して取手先端部７１２がロック解除アーム６５０の一端を押し、ロック解除アーム６５０は解除アーム軸部６５１を支点に回動してロックアーム６１０の基端部６１１を押し上げる。これにより、ロックアーム６１０はアーム軸部６１３を支点に時計回りに回動して、アーム先端部６１２が筺体先端部６４３から外れて、係合が解除され、扉体３００が開けられる。
【００３１】
また、取手部７００を扉体３００の背面側であるＢ方向に押すと、取手部７００の取手中央部７１３がロックアーム６１０の基端部６１１を直接押す。これにより、ロックアーム６１０はアーム軸部６１３を支点に時計回りに回動して、アーム先端部６１２が筺体先端部６４３から外れて、係合が解除され、扉体３００が開けられる。
【００３２】
図５（ａ）〜（ｃ）において、（ａ）は、閉塞位置にある扉体３００の取手部７００を前面側であるＡ方向に引き始めて、支軸部７１１を支点に回動する取手部７００の取手先端部７１２がロック解除アーム６５０に当接した瞬間である。（ｂ）は、取手部７００を（ａ）の位置から更にＡ方向に引いて回動させていき、取手部７００の動きに連動するロック解除アーム６５０が解除アーム軸部６５１を支点に回動して、ロックアーム６１０がアーム軸部６１３を支点に時計回りに回動し、アーム先端部６１２が筺体先端部６４３の係合から外れる瞬間である。この時のロック箱６４２の位置を、許可位置と称する。（ｃ）は、取手部７００を（ｂ）の位置から更にＡ方向に引いて回動させていって、ロックアーム６１０が更に回動し、アーム先端部６１２がロック穴２１８から抜けようとする瞬間である。この時のロック箱６４２の位置を、開放開始位置と称する。さらに、取手部７００を引いていくと、扉体３００が開放していく。
【００３３】
図６（ａ）〜（ｃ）において、（ａ）は、閉塞位置にある扉体３００の取手部７００を背面側であるＢ方向に押し始めて、支軸部７１１を支点に回動する取手部７００の取手中央部７１３がロックアーム６１０の基端部６１１に当接した瞬間である。（ｂ）は、取手部７００を（ａ）の位置から更にＢ方向に押して回動させていき、ロックアーム６１０がアーム軸部６１３を支点に時計回りに回動し、アーム先端部６１２が筺体先端部６４３の係合から外れる瞬間である。この時のロック箱６４２の位置を、図５（ｂ）と同じく許可位置と称する。（ｃ）は、取手部７００を（ｂ）の位置から更にＢ方向に押して回動させていって、ロックアーム６１０が更に回動し、アーム先端部６１２がロック穴２１８から抜けようとする瞬間である。この時のロック箱６４２の位置を、開放開始位置と称する。係合が解除された後は、取手部７００を引いていくことにより、扉体３００が開放していく。
【００３４】
なお、扉体３００を開放されている位置から閉塞位置へ回動していくと、ロックアーム６１０先端のアーム先端部６１２がロック穴２１８からロック箱６４２へ挿入されていき、アーム先端部６１２が挿入されてロック箱６４２が許可位置になった後、ロックアーム６１０を付勢しているばねにより、アーム先端部６１２が筺体先端部６４３へ係合して、ロック箱６４２は不許可位置に戻る。
【００３５】
以上のように本実施の形態においては、扉体の取手部を操作する押す動作、引く動作のいずれの動作であってもロックを解除して扉体を開くことができるとともに、それぞれの動作も取手部のみの一連の動作により扉体を開けることができるので、操作性が格段に向上し、ロック機構を破損させる恐れも防止することができる。
【産業上の利用可能性】
【００３６】
以上のように、本発明にかかるドラム式洗濯機は、扉体と本体側との連結構成により、扉体の取手部を押しても引いても一連の動作で扉体を開けることができるので、扉体を有するたの洗濯機等の用途に適用できる。
【符号の説明】
【００３７】
１１１  水槽
１１２  回転ドラム
１１３  モータ
２００  筺体
２１５  衣類投入口
３００  扉体
６００  ロック機構
６１０  ロックアーム
６１３  アーム軸部
６４０  ロック制御ユニット
６５０  ロック解除アーム
６５１  解除アーム軸部
７００  取手部
【図１】
2013103055.tif 000003
【図２】
2013103055.tif 000004
【図３】
2013103055.tif 000005
【図４】
2013103055.tif 000006
【図５】
2013103055.tif 000007
【図６】
2013103055.tif 000008
【図７】
2013103055.tif 000009